(57)【要約】【課題】外径が異なる複数のディスクを搬送するディスク搬送機構を備えた光ディスク装置を提供する。【解決手段】メインスライダーに複数種のカム溝を形成し，ディスク外径に応じた挿入時の引き込みレバーの回動量によってレバーピンをガイドするカム溝を自動選択することにより、引き込みレバーの回動量が切り替わるとともに、引き込みレバーと反対側のディスクガイド部もディスク外径によってその位置を可変動作させる。【選択図】図１
2007207302.tif 000002
【特許請求の範囲】
【請求項１】
ディスク挿入口から挿入されるディスクの外周の一側面を保持するように回動自在に設
けられた引き込みレバーと、
前記ディスクの外周の他側面を保持するようにディスク挿入方向に配設されたサイドガイドと、
前記引き込みレバーと連動して回動自在に設けられ、ローディングモータの駆動によって動作するメインスライダーのカム溝に連動して前記引き込みレバーをスピンドルモータ方向に付勢する付勢手段とを備え、
前記ディスクを前記引き込みレバーと前記サイドガイドによって保持するとともに、前記付勢手段により付勢された前記引き込みレバーによって前記ディスクをディスクチャッキング位置に搬送するディスク搬送機構を備えた光ディスク装置であって、
前記引き込みレバーは、外径が異なる複数のディスクに対応するよう回動自在に設けられ、
前記サイドガイドは、前記引き込みレバーに連動し、外径が異なる複数のディスクに対応するようスピンドルモータからの位置が複数の位置に可変自在に設けられ、
前記付勢手段は、前記引き込みレバーに連動し、外径が異なる複数のディスクに対応するよう前記スライダーに形成した複数のカム溝のいずれか一方のカム溝に連動自在に設けられることを特徴とする光ディスク装置。
【請求項２】
前記サイドガイドのスピンドルモータからの位置および前記付勢手段が連動するカム溝は、ディスクが挿入される前の初期状態において、外径が異なる複数のディスクのうち最小の外径のディスクに対応するように設定されていることを特徴とする請求項１記載の光ディスク装置。
【請求項３】
ディスク挿入口から挿入されるディスクの外周の一側面を保持するように回動自在に設けられた引き込みレバーと、
前記引き込みレバーと連動し回動自在に設けられたサブレバーおよびこのサブレバーと連動するリンクギアと、
このリンクギアをガイドする複数のカム溝が形成されローディングモータの駆動によりディスク挿入方向と平行に動作するメインスライダーと、
ディスク挿入口端よりディスク挿入方向に向かって傾斜し、ディスク挿入口前方に回動自在に配置されディスク側面をガイドする第１のサイドガイドレバーと、
この第１のサイドガイドレバーと回動可能に接続され、前記ディスク挿入方向に平行に配置されディスク外周の他側面をガイドするサイドガイドと、
このサイドガイドと回動可能に接続され、前記第１のサイドガイドレバーと平行で前記第１のサイドガイドレバーよりディスク挿入方向奥側に回動自在に配置された第２のサイドガイドレバーと、
この第２のサイドガイドレバーの回動方向に沿ったガイド溝が形成されたプレートと、
このプレートと前記リンクギアとの間に配設され、一端が前記プレートに接続され、他端が前記リンクギアと接離可能な位置に配置されたロック解除レバーとを備えることを特徴とする光ディスク装置。
【請求項４】
前記プレートには、前記第２のサイドガイドレバーの回動を複数の位置で固定する複数のレバーロック溝が前記ガイド溝に連続して形成されるとともに、前記ロック解除レバーが接続され、
前記ロック解除レバーには、前記ロック解除レバーの回動により前記プレートが動作する方向とは逆方向に付勢力を持つ第１の弾性体が接続され、
ディスク挿入方向奥側にディスク外周部をガイドするよう回動自在に設けられた外周ガイドレバーには、ディスク挿入方向に付勢力を持つ第２の弾性体が接続されることを特徴とする請求項３記載の光ディスク装置。
【請求項５】
前記プレートに形成された前記複数のレバーロック溝に連続して形成され、前記第２のサイドガイドレバーを前記複数の固定位置から離間する方向に回動させる複数の離間ガイド溝と、
前記メインスライダーと連動動作可能に接続され、前記プレートをガイドし、前記第１の弾性体の付勢力の働く方向に前記プレートを動作させるためのカム溝が形成されたサブスライダーとを備えることを特徴とする請求項４記載の光ディスク装置。
【請求項６】
前記リンクギアには、前記メインスライダーの動作方向と直交する方向に動作する位置に設けられたガイドピンを有することを特徴とする請求項３記載の光ディスク装置。
【請求項７】
前記引き込みレバー及び前記サブレバーの回転中心が、ディスクチャッキング位置にある外径が異なる複数のディスクのうち、最大外径を有するディスクの外形より外側に位置することを特徴とする請求項３記載の光ディスク装置。
【発明の詳細な説明】
【技術分野】
【０００１】
本発明は、光ディスク装置に関し、特に、スロットイン方式のディスク搬送機構を有した光ディスク装置に関する。
【背景技術】
【０００２】
従来より、薄型化、小型化を図ったスロットイン方式のディスク搬送機構を備えたディスク装置が提案されている（例えば、特許文献１参照。）。
【０００３】
これは、光ディスク装置のシャーシ外装内には、挿入口近傍の一方側前方にサイドガイド及び後方に回動動作可能なサイドガイドレバーを有し、他方側にはディスクの外形に沿って回動可能な引き込みレバー及び引き込みレバーと連動可能に接続されたサブレバーを有しており、メインスライダーに形成されたガイド溝にてサブレバーをガイド動作することにより１２０ｍｍディスクの搬送動作を行うようにしたものである。
【０００４】
ディスク搬送機構は、例えば図5に示すように、メインスライダー５１，引き込みレバー５２，サブレバー５３，サイドガイド５４，サイドガイドレバー５５，外周ガイドレバー５６で構成されている。
【０００５】
ディスク挿入時には，まず引き込みレバー５２がディスク径が１２０ｍｍのディスク６０の外形に沿って矢印方向に回動し，同時に引き込みレバー５２内の長溝に連結されているサブレバー５３が回動する。ディスク６０が所定位置まで挿入された時，図６（ａ）に示すように、装置内に設置されたローディングＳＷの検出により、ローディングモータ５７が動作し、減速ギア列５８を介してメインスライダー５１が矢印Ａ方向にスライド動作する。この時、図６（ｂ）に示すように、メインスライダー５１上に形成されたカム溝５９にサブレバー５３がガイドされるため，以後カム溝５９に沿ってサブレバー５３が動作することとなる。
【０００６】
カム溝５９は，１２０ｍｍディスク６０の中心がスピンドルモータＳＰＭの中心位置と一致する位置までディスク６０を搬送するよう形状構成されているため、メインスライダー５１の動作によりサブレバー５３及び引き込みレバー５２を矢印方向に回動・付勢し、ディスク６０をディスクチャッキング位置まで搬送できるようになっている。
【特許文献１】特許第３５２２２３５号公報
【発明の開示】
【発明が解決しようとする課題】
【０００７】
従来技術は、ディスク搬送機構の構成が単一のディスク径のディスクにのみ対応した構成であったため、外径の異なるディスクの搬送ができないという問題点があった。
【０００８】
本発明は、上記の問題を解決するためになされたものであり、外径が異なる複数種のディスクをディスクチャッキング位置まで確実に搬送することを目的としている。
【課題を解決するための手段】
【０００９】
本発明の一態様によれば、ディスク挿入口から挿入されるディスクの外周の一側面を保持するように回動自在に設けられた引き込みレバーと、前記ディスクの外周の他側面を保持するようにディスク挿入方向に配設されたサイドガイドと、前記引き込みレバーと連動して回動自在に設けられ、ローディングモータの駆動によって動作するメインスライダーのカム溝に連動して前記引き込みレバーをスピンドルモータ方向に付勢する付勢手段とを備え、前記ディスクを前記引き込みレバーと前記サイドガイドによって保持するとともに、前記付勢手段により付勢された前記引き込みレバーによって前記ディスクをディスクチャッキング位置に搬送するディスク搬送機構を備えた光ディスク装置であって、前記引き込みレバーは、外径が異なる複数のディスクに対応するよう回動自在に設けられ、前記サイドガイドは、前記引き込みレバーに連動し、外径が異なる複数のディスクに対応するようスピンドルモータからの位置が複数の位置に可変自在に設けられ、前記付勢手段は、前記引き込みレバーに連動し、外径が異なる複数のディスクに対応するようスライダーに形成した複数のカム溝のいずれか一方のカム溝に連動自在に設けられることを特徴とする光ディスク装置が提供される。
【００１０】
この一態様に係る光ディスク装置においては、前記引き込みレバー、サイドガイドおよび付勢手段が連動するとともに、それぞれが外径の異なる複数のディスクに対応するように構成されているので、挿入される外径が異なる複数種のディスクをディスクチャッキング位置まで確実に搬送することができる。
【００１１】
また、本発明の別の一態様によれば、ディスク挿入口から挿入されるディスクの外周の一側面を保持するように回動自在に設けられた引き込みレバーと、前記引き込みレバーと連動し回動自在に設けられたサブレバーおよびこのサブレバーと連動するリンクギアと、このリンクギアをガイドする複数のカム溝が形成されローディングモータの駆動によりディスク挿入方向と平行に動作するメインスライダーと、ディスク挿入口端よりディスク挿入方向に向かって傾斜し、ディスク挿入口前方に回動自在に配置されディスク側面をガイドする第１のサイドガイドレバーと、この第１のサイドガイドレバーと回動可能に接続され、前記ディスク挿入方向に平行に配置されディスク外周の他側面をガイドするサイドガイドと、このサイドガイドと回動可能に接続され、前記第１のサイドガイドレバーと平行で前記第１のサイドガイドレバーよりディスク挿入方向奥側に回動自在に配置された第２のサイドガイドレバーと、この第２のサイドガイドレバーの回動方向に沿ったガイド溝が形成されたプレートと、このプレートと前記リンクギアとの間に配設され、一端が前記プレートに接続され、他端が前記リンクギアと接離可能な位置に配置されたロック解除レバーとを備えることを特徴とする光ディスク装置が提供される。
【００１２】
この一態様に係る光ディスク装置においては、メインスライダーに形成された複数のカム溝によりガイドされる引き込みレバーの回動量が切り替わるので、外径の異なるディスクの引き込み搬送量を変えることができる。また、リンクギアとプレートの間に配設されたロック解除レバーにより、挿入されるディスクの外径に応じて第１のサイドガイドレバー、サイドガイドおよび第２のサイドガイドレバーが回動可能となるため、複数種のディスクの側面を確実にガイドすることが可能となる。
【発明の効果】
【００１３】
本発明によれば、外径が異なる複数種のディスクをディスクチャッキング位置まで確実に搬送することができるディスク搬送機構を備えた光ディスク装置を提供できる。
【発明を実施するための最良の形態】
【００１４】
以下、本発明の実施の形態について、図面を参照しながら説明する。尚、各図において同一箇所については同一の符号を付すとともに、重複した説明は省略する。
【００１５】
図１は、本発明の一実施形態に係るディスク搬送機構を組み込んだ光ディスク装置のディスクが挿入される以前の初期状態の斜視図である。図１に示すように、ディスク搬送機構は、光ディスク装置（以下、「装置」と言う。）の前方に向かって右側と左側とに分けて説明する。装置の前方に向かって右側は、ディスク外周の一側面を保持して引き込み動作を行う引き込みレバー１１および引き込みレバー１１の回動量伝達を行うサブレバー１２が回動自在に設けられ、メインスライダー１３がディスク挿入方向に平行にスライド動作可能に設けられ、サブレバー１２と互いにギアで連結され前記引き込みレバー１１の回動量の切り替えを行うリンクギア１４が回動自在に設けられている。
【００１６】
装置の前方に向って左側は、ディスク挿入口端より装置奥側のディスク挿入方向に向かって傾斜し、ディスク挿入口前方に回動自在に配置されディスク挿入時のディスク側面ガイドとなるサイドガイドレバーＡ１９、このサイドガイドレバーＡ１９と回動可能に接続され、前記ディスク挿入方向に平行に配置され搬送時にディスク外周の他側面をガイドするサイドガイド２０、このサイドガイド２０を挿入されるディスクの外径の大きさに応じて矢印Ｊ方向に動作させるためにサイドガイド２０と回動可能に接続され、前記サイドガイドレバーＡ１９と平行で前記サイドガイドレバーＡ１９よりディスク挿入方向奥側に回動自在に配置されたサイドガイドレバーＢ２１、サイドガイドレバーＢ２１のロック、アンロック動作を行うガイドロックプレート１８で構成されている。
【００１７】
また、装置の奥行き方向にはディスク外周をガイドするための外周ガイドレバー１５が配設されている。さらに、リンクギア１４とガイドロックプレート１８の間には、引き込みレバー１１の回動量に応じてリンクギア１４に連動するロック解除レバー１６がガイドロックプレート１８に接続されて配置されている。これによりリンクギア１４の回転量に連動してガイドロックプレート１８がディスク挿入方向と平行な矢印Ｉ方向にスライド動作を行う。
【００１８】
リンクギア１４の下方には、２つのカム溝が形成されたメインスライダー１３が配置され、ローディングモータユニット２２の駆動力伝達によりディスク挿入方向と平行な矢印Ｇ方向にスライド動作を行うようになっている。
【００１９】
ガイドロックプレート１８の矢印Ｉ方向のスライド動作時に、メインスライダー１３に形成された２つのカム溝のうち、リンクギア１４がガイドされるカム溝がディスク外径によって自動選択される。このため、外径の異なるディスクの搬送量の切り替えが可能である。
【００２０】
図１において、Ａ〜Ｆはそれぞれ、引き込みレバー１１、サブレバー１２、ロック解除レバー１６、外周ガイドレバー１５、サイドガイドレバーＡ１９、サイドガイドレバーＢ２１の回転中心を示す。
【００２１】
図２は、ディスク搬送機構における各レバー、プレートの付勢方向を説明する図である。引き込みレバー１１、サブレバー１２、リンクギア１４は、サブレバー付勢バネ２３によりそれぞれ矢印Ｋ、Ｌ、Ｍ方向に付勢力を受け、リンクギア１４に設けたガイドピン３２により、メインスライダーカム溝２７，２８のいずれか一方に位置決めされる。メインスライダーカム溝２７，２８は、メインスライダー１３に形成されメインスライダー１３のスライド動作方向と直交する方向に並んで配置されている。リンクギア１４のガイドピン３２は、メインスライダー１３のスライド動作方向に直交する方向に動作してカム溝２７，２８のいずれか一方に位置決めされるように設けられている。
【００２２】
サイドガイドレバーＡ１９、サイドガイド２０、サイドガイドレバーＢ２１は、サイドガイドレバー付勢バネ２６により、それぞれ矢印Ｑ、Ｒ、Ｓ方向に付勢力を受け、サイドガイドレバーＢ２１に設けたピン３３によりロックプレートカム溝３０の両端に連続して形成されたレバーロック溝３０ａ、３０ｂのいずれか一方に位置決めされる。また、レバーロック溝３０ａ、３０ｂにそれぞれ連続して離間ガイド溝３０ｃ、３０ｄが形成される。
【００２３】
ロック解除レバー１６、ガイドロックプレート１８は、ロック解除レバー付勢バネ２４により、それぞれ矢印Ｏ、Ｐ方向に付勢力を受け、ガイドロックプレート１８に設けたピン３４によりサブスライダー１７に形成したサブスライダーカム溝２９に位置決めされる。
【００２４】
外周ガイドレバー１５は、外周ガイドレバー付勢バネ２５により、矢印Ｔ方向に付勢力を受け、初期状態では図１に示すレバーベース３１により位置決めされる。
【００２５】
なお、図１および図２において、サブスライダー１７は、メインスライダー１３と連動し、メインスライダー１３の動作方向と直交方向にスライド動作するように設けられている。このサブスライダー１７には、サブスライダーカム溝２９が形成され、このカム溝２９にガイドロックプレート１８に設けたピン３４が前述のように位置決めされている。
【００２６】
図３（ａ）乃至図３（ｆ）は、外径８０ｍｍのディスク挿入時の搬送動作例を示している。図３（ａ）に示すように、光ディスク装置にディスクＤＫが挿入されるとディスク左側面（挿入方向向かって左）は、サイドガイドレバーＡ１９にてガイドされる。一方、ディスクの右側面（挿入方向向かって右）は、引き込みレバー１１の回動にてガイドされる。この時、引き込みレバー１１、サブレバー１２及びリンクギア１４は、それれぞれ矢印Ｕ、Ｕ1、Ｕ2方向に回動する。８０ｍｍディスク外径に沿った引き込みレバー１１のレバー回動量では、リンクギア１４がロック解除レバー１６を動作させないように離間して配置されており、ガイドロックプレート１８はロック解除レバー付勢バネ２４によって付勢されているため、サイドガイドレバーＢ２１をレバーロック溝３０ａにロックした状態、すなわち、サイドガイド２０のディスクＤＫの外周左側面を保持する面の位置を、スピンドルモータＳＰＭの中心から外径８０ｍｍディスクの半径に相当する位置に維持する。
【００２７】
次に、図３（ｂ）に示すように、ディスク搬送動作が開始される所定位置までディスクＤＫが挿入されると、ローディングモータユニット２２によりメインスライダー１３が矢印Ｖ方向に動作し始める。この時、リンクギア１４に固定されたリンクギアピン３２とメインスライダー１３のカム溝２７，２８の位置関係は、図３（ｃ）のようにリンクギアピン３２がカム溝２７に対応した位置関係となるため、リンクギアピン３２は、カム溝２７にガイドされることとなる。これにより、メインスライダー１３の動作と連動してリンクギア１４、サブレバー１２、引き込みレバー１１がそれぞれＸ２、Ｘ１、Ｘ方向に動作（図３（ｄ））してディスクを付勢し、ディスクＤＫの中心がスピンドルモータＳＰＭの中心に位置するディスクチャッキング位置まで搬送される。
【００２８】
ディスク搬送時、外周ガイドレバー１５は、付勢力によりディスクＤＫをガイドした状態で矢印Ｗ方向に動作する。したがって、ディスク搬送時及びディスクチャッキング時は、絶えず引き込みレバー１１、外周ガイドレバー１５及びサイドガイド２０の３点でディスクＤＫを支持した状態を維持する。
【００２９】
その後、例えば上記特許文献１等で周知の機構構成により、メインスライダー１３及びメインスライダー１３と連動動作するサブスライダー１７の昇降カム溝（図示せず。）にて、ディスクチャッキングを行う。
【００３０】
ディスクチャッキング後は、図３（ｅ）、（ｆ）に示されるように、メインスライダー１３の矢印Ｖ方向への継続動作によって、メインスライダーカム溝２７とリンクギア１４の連動およびサブスライダーカム溝２９とガイドロックプレート１８のピン３４の連動によって、それぞれ引き込みレバー１１及びサイドガイド２０がディスクＤＫから離間動作を行う。この時、引き込みレバー１１、サブレバー１２及びリンクギア１４は、それぞれ矢印Ｚ、Ｚ１、Ｚ２方向に動作し、サブスライダー１７、ガイドロックプレート１８、サイドガイドレバーＢ２１及びサイドガイド２０は、それぞれ矢印Ｙ、Ｙ１、Ｙ２方向に動作する。
【００３１】
そして、ガイドロックプレート１８はサイドガイドレバーＢ２１をレバーロック溝３０ａにロックした状態から、レバーロック溝３０ａに連続して形成された離間ガイド溝３０ｃに移動させる。また、この時、外周ガイドレバー１５も図示しない離間機構によりディスクＤＫから離間動作を行う。このような状態でディスクＤＫがスピンドルモータＳＰＭのみに支持されて記録再生可能な駆動状態になる。
【００３２】
図４（ｇ）乃至図４（ｌ）は、外径１２０ｍｍのディスク挿入時の搬送動作例を示している。図４（ｇ）に示すように、ディスクＤＫが挿入されると、外径８０ｍｍのディスク挿入時と同様、引き込みレバー１１、サブレバー１２及びリンクギア１４は、それぞれ矢印Ｕ、Ｕ１、Ｕ２方向に回動し始める。外径１２０ｍｍのディスクに沿った引き込みレバー１１の回動量は、８０ｍｍディスク挿入時に対し大きい。このため、図４（ｈ）に示すように、リンクギア１４が回動してロック解除レバー１６に接触・連動し、ロック解除レバー１６を矢印Ｕ３方向に動作させ、さらにロック解除レバー１６がガイドロックプレート１８を矢印Ｕ４方向に動作させる。ディスクＤＫが挿入される以前の初期状態では外径８０ｍｍのディスクに対応してガイドロックプレート１８のレバーロック溝３０ａにてサイドガイドレバーＢ２１のピン３３がロックされていたが、この時、サイドガイドレバーＢ２１のピン３３がレバーロック溝３０ａから解除される。そしてサイドガイドレバーＡ１９が外径１２０ｍｍのディスク外周左側面をガイドすることによって、サイドガイドレバーＢ２１のピン３３がロックプレートカム溝３０内をガイドされて、サイドガイドレバーＡ１９、サイドガイド２０及びサイドガイドレバー２１がそれぞれ矢印ＡＡ、ＡＡ１、ＡＡ２方向に動作する（図４（ｉ））。そして、ロックプレートカム溝３０内をガイドされたサイドガイドレバーＢ２１のピン３３は、ガイドロックプレート１８がロック解除レバー付勢バネ２４によって付勢されているため、サイドガイドレバーＢ２１をレバーロック溝３０ｂにロックした状態、すなわち、サイドガイド２０のディスクＤＫの外周左側面を保持する面の位置を、スピンドルモータＳＰＭの中心から外径１２０ｍｍディスクの半径に相当する位置に維持する。
【００３３】
続いて、ローディング動作が開始される所定位置までディスクが挿入されると、ローディングモータユニット２２によりメインスライダー１３が矢印Ｖ方向に動作し始める。この時、リンクギアピン３２とメインスライダーカム溝２７，２８の位置関係は、図４（ｊ）に示すようにリンクギアピン３２がカム溝２８に対応する位置関係となるため、リンクギアピン３２は、カム溝２８にガイドされることとなる。これにより、メインスライダー１３の動作と連動してリンクギア１４、サブレバー１２及び引き込みレバー１１がそれぞれ矢印ＢＢ２、ＢＢ１、ＢＢ方向に動作（図４（ｋ））してディスクを付勢し、ディスクの中心がスピンドルモータＳＰＭの中心に位置するディスクチャッキング位置まで搬送される。
【００３４】
ディスク搬送の際、外周ガイドレバー１５は、外径８０ｍｍのディスク搬送時と同様、付勢力によりディスク外周をガイドした状態で矢印ＤＤ方向に動作する。このため、ディスク搬送時及びディスクチャッキング時は、絶えず引き込みレバー１１、外周ガイドレバー１５及びサイドガイド２０の３点でディスクを支持した状態を維持する。
【００３５】
その後、外径８０ｍｍのディスクの場合と同様に周知の機構構成により、ディスクチャッキングを行う。
【００３６】
ディスクチャッキング後は、図４（ｌ）に示されるように、メインスライダー１３の矢印Ｖ方向への継続動作によってメインスライダーカム溝２８とリンクギア１４の連動およびサブスライダーカム溝２９とガイドロックプレート１８のピン３４の連動によって、それぞれ引き込みレバー１１及びサイドガイド２０がディスクＤＫから離間動作を行う。この時、引き込みレバー１１、サブレバー１２及びリンクギア１４は、それぞれ矢印ＣＣ、ＣＣ１、ＣＣ２方向に動作し、サブスライダー１７、ガイドロックプレート１８、サイドガイドレバーＢ２１及びサイドガイド２０は、それぞれ矢印Ｙ、Ｙ１、ＥＥ、ＥＥ１方向に動作する。そして、ガイドロックプレート１８はサイドガイドレバーＢ２１をレバーロック溝３０ｂにロックした状態から、レバーロック溝３０ｂに連続して形成された離間ガイド溝３０ｄに移動させる。また、この時、外周ガイドレバー１５も図示しない離間機構により、ディスクから離間動作を行う。このような状態でディスクがスピンドルモータＳＰＭのみに支持されて記録再生可能な駆動状態になる。
【００３７】
また、引き込みレバー１１およびサブレバー１２の回転中心ＡおよびＢの位置は、外径１２０ｍｍディスクがチャッキング位置にある時、図４（ｋ）のように、そのディスク外形より外側に位置しており、これにより回転中心Ａ、Ｂの各軸および各軸に嵌合される各レバー１１，１２の各軸受のそれぞれの立上り長さを大きく設定することができ、ディスク挿入時に生ずる各レバー１１，１２の上下方向のガタつきを低減できる。
【００３８】
以上説明したように、本実施の形態では、次のような特徴を有することが明らかである。
【００３９】
１）引き込みレバー１１は、外径が異なる複数のディスクに対応するよう回動自在に設けられ、前記サイドガイド２０は、引き込みレバー１１に連動し、外径が異なる複数のディスクに対応するようスピンドルモータＳＰＭからの位置が複数位置に可変自在に設けられ、サブレバー１２およびリンクギア１４等の付勢手段は、引き込みレバー１１に連動し、外径が異なる複数のディスクに対応するようメインスライダー１３に形成した複数のカム溝２７，２８のいずれか一方のカム溝に連動自在に設けられる。
【００４０】
この構成によれば、引き込みレバー１１、サイドガイド２０およびサブレバー１２、リンクギア１４等の付勢手段が連動するとともに、それぞれが外径の異なる複数のディスクに対応するように構成されているので、挿入される外径が異なる複数種のディスクをディスクチャッキング位置まで確実に搬送することができる。
【００４１】
２）サイドガイド２０のスピンドルモータＳＰＭからの位置およびサブレバー１２およびリンクギア１４等の付勢手段が連動するカム溝は、ディスクが挿入される前の初期状態において、外径が異なる複数のディスクのうち最小の８０ｍｍ外径のディスクに対応するように設定されている。
【００４２】
この構成によれば、外径の小さいディスクが挿入された時は勿論のこと、外径の大きい１２０ｍｍディスクが挿入されても、外径が異なる複数のディスクの外径の大きさに対応して、サイドガイド２０と引き込みレバー１１が連動してディスク外周を保持して確実に搬送することができる。なお、上記構成を、ディスクが挿入される前の初期状態で最大の外径のディスクに対応するように設定すると、外径が最小のディスクを挿入した場合、そのディスクが引き込みレバー１１およびサイドガイドレバーＡ１９を回動することができない。
【００４３】
３）メインスライダー１３に形成された複数のカム溝２７，２８によりガイドされる引き込みレバー１１の回動量が切り替わるとともに、リンクギア１４とガイドロックプレート１８の間に配設されたロック解除レバー１６により、挿入されるディスクＤＫの外径に応じてサイドガイドレバーＡ１９、サイドガイド２０およびサイドガイドレバーＢ２１がガイドロックプレート１８に形成されたガイド溝３０に沿って回動可能となるよう構成される。
【００４４】
この構成により、外径の異なるディスクの引き込み搬送量を変えることができるとともに、外径の異なる複数種のディスクの外周側面を確実にガイドすることが可能となる。
【００４５】
４）上記３）の構成に加えて、ガイドロックプレート１８には、サイドガイドレバーＢ２１の回動を複数の位置で固定する複数のレバーロック溝３０ａ，３０ｂがガイド溝３０に連続して形成されるとともにロック解除レバー１６が接続され、ロック解除レバー１６には、ロック解除レバー１６の回動によりガイドロックプレート１８が動作する方向とは逆方向に付勢力を持つロック解除付勢バネ２４が接続され、ディスク挿入方向奥側にディスク外周部をガイドするよう回動自在に設けられた外周ガイドレバー１５には、ディスク挿入方向に付勢力を持つ外周ガイドレバー付勢バネ２５が接続されている。
【００４６】
この構成により、外径の異なる複数のディスクの外周位置にサイドガイド２０、引き込みレバー１１および外周ガイドレバー１５が固定されるため、ディスク搬送および搬送後のディスクチャッキング時のディスク位置を高精度に保持できる。
【００４７】
５）上記４）の構成に加えて、ガイドロックプレート１８には、サイドガイドレバーＢ２１の回動を複数の位置で固定する複数のレバーロック溝３０ａ，３０ｂに連続して複数の離間ガイド溝３０ｃ，３０ｄが形成され、このガイドロックプレート１８はメインスライダー１３と連動して動作するサブスライダー１７に形成されたカム溝にガイドされ、ロック解除付勢バネ２４の付勢力の働く方向に動作される。
【００４８】
この構成により、ディスク外径の大きさに応じてサイドガイドレバーＢ２１が離間ガイド溝３０ｃ，３０ｄのいずれかにガイドされることによって、ディスクチャッキング後のサイドガイド２０のディスクからの離間動作が行われ、その動作が簡略構成でありながら精度よく実現できる。
【００４９】
６）リンクギア１４に設けられたガイドピン３２は、引き込みレバー１１およびサブレバー１２の回動に連動し、メインスライダー１３のスライド動作方向と直交する方向に動作する位置に配置されている。
【００５０】
この構成により、リンクギア１４のガイドピン３２の動作範囲をメインスライダー１３のスライド動作方向と直交する方向に幅広く設定することができ、メインスライダー１３のスライド動作方向と直交する方向に並んで配置されているカム溝２７，２８の溝幅を大きく形成できる。その結果、リンクギア１４のガイドピン３２とカム溝２７，２８の摺動負荷を軽減できるとともに、引き込みレバー１１の回動量によって決まるガイドピン３２の動作によるカム溝２７，２８の選択（ディスク外径の判別。）の誤動作を防止できる。
【００５１】
７）引き込みレバー１１およびサブレバー１２の回転中心ＡおよびＢの位置は、外径１２０ｍｍディスクがチャッキング位置にある時、そのディスク外形より外側に位置する。
【００５２】
この構成により、引き込みレバー１１およびサブレバー１２の回転中心Ａ、Ｂの各軸および各軸に嵌合される各レバー１１，１２の各軸受のそれぞれの立上り長さを大きく設定することができ、ディスク挿入時に生ずる各レバー１１，１２の上下方向のガタつきを低減できる。
【００５３】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００５４】
【図１】本発明の実施形態に係る光ディスク装置の斜視図である。
【図２】ディスク搬送機構構における各レバー、プレートの付勢方向を説明する図である。
【図３（ａ）】外径８０ｍｍのディスク挿入時の搬送動作例を示す図である。
【図３（ｂ）】外径８０ｍｍのディスク挿入時の搬送動作例を示す図である。
【図３（ｃ）】外径８０ｍｍのディスク挿入時の搬送動作例を示す図である。
【図３（ｄ）】外径８０ｍｍのディスク挿入時の搬送動作例を示す図である。
【図３（ｅ）】外径８０ｍｍのディスク挿入時の搬送動作例を示す図である。
【図３（ｆ）】外径８０ｍｍのディスク挿入時の搬送動作例を示す図である。
【図４（ｇ）】外径１２０ｍｍのディスク挿入時の搬送動作例を示す図である。
【図４（ｈ）】外径１２０ｍｍのディスク挿入時の搬送動作例を示す図である。
【図４（ｉ）】外径１２０ｍｍのディスク挿入時の搬送動作例を示す図である。
【図４（ｊ）】外径１２０ｍｍのディスク挿入時の搬送動作例を示す図である。
【図４（ｋ）】外径１２０ｍｍのディスク挿入時の搬送動作例を示す図である。
【図４（ｌ）】外径１２０ｍｍのディスク挿入時の搬送動作例を示す図である。
【図５】従来の光ディスク装置のディスク搬送部の機構を示す斜視図である。
【図６（ａ）】従来の光ディスク装置のディスク搬送動作例を示す図である。
【図６（ｂ）】従来の光ディスク装置のディスク搬送動作例を示す図である。
【符号の説明】
【００５５】
１１・・・引き込みレバー、１２・・・サブレバー、１３・・・メインスライダー、１４・・・リンクギア、１５・・・外周ガイドレバー、１６・・・ロック解除レバー、１７・・・サブスライダー、１８・・・ガイドロックプレート、１９・・・サイドガイドレバーＡ、２０・・・サイドガイド、２１・・・サイドガイドレバーＢ、２２・・・ローディングモータユニット、２７，２８・・・カム溝、ＤＫ・・・ディスク、ＳＰＭ・・・スピンドルモータ
【図１】
2007207302.tif 000003
【図２】
2007207302.tif 000004
【図３（ａ）】
2007207302.tif 000005
【図３（ｂ）】
2007207302.tif 000006
【図３（ｃ）】
2007207302.tif 000007
【図３（ｄ）】
2007207302.tif 000008
【図３（ｅ）】
2007207302.tif 000009
【図３（ｆ）】
2007207302.tif 000010
【図４（ｇ）】
2007207302.tif 000011
【図４（ｈ）】
2007207302.tif 000012
【図４（ｉ）】
2007207302.tif 000013
【図４（ｊ）】
2007207302.tif 000014
【図４（ｋ）】
2007207302.tif 000015
【図４（ｌ）】
2007207302.tif 000016
【図５】
2007207302.tif 000017
【図６（ａ）】
2007207302.tif 000018
【図６（ｂ）】
2007207302.tif 000019